(57)【要約】【課題】  使用感と外観に優れることに加えて、長期間に亘って滑り止め効果を発揮することができるナイロン手袋を提供することを目的とする。【解決手段】  手袋本体１の少なくとも手の平側の片面３の全面又は一部に、滑り止め機能を保有する素材をコーティングしてあることを特徴とする。【選択図】      図２
0003107556.tif 000002
【実用新案登録請求の範囲】
【請求項１】
手袋本体（１）の少なくとも手の平側の片面（３）の全面又は一部に、滑り止め機能を保有する素材をコーティングしてあることを特徴とする手袋。
【請求項２】
前記手袋本体（１）は、ナイロン繊維により編成されていることを特徴とする請求項１記載の手袋。
【請求項３】
前記滑り止め機能を保有する素材は、ポリウレタン樹脂であることを特徴とする請求項１又は２記載の手袋。
【考案の詳細な説明】
【技術分野】
【０００１】
本考案は、生地にナイロンダブルトリコット等のナイロンを使用した手袋に関するものである。
【背景技術】
【０００２】
上記のような手袋は、警察官の鑑識業務において、指紋が付かないようにするために用いられたり、車掌や駅員等が業務中に使用したり、また、式典や祭典等の礼装の一部として用いられたりしており、様々な分野、業種において広く用いられている。このように生地にナイロンを使用した手袋は、清楚感を醸し出して外観を良好にすることはできるが、素材の特性から滑りやすいため、作業をする際に不都合が生じていた。そこで、従来、手袋の手の平側に相当する片面に、塩化ビニール等の滑り止め素材からなる突起部を多数散在させていた。
【考案の開示】
【考案が解決しようとする課題】
【０００３】
しかしながら、滑り止めの突起部は、物に最も触れやすい箇所である手の平側の面に備えてあるため、使用中に突起部が物と接触して、その摩擦によって剥がれ落ちる等して取れてしまい、手袋から滑り止め機能が失われてしまったり、また、滑り止めの突起部を備えることにより、使用感が悪くなると共に、外観も悪くなり、さらには、突起部を取り付けるための加工を行う際に、手袋本体の生地を破損させてしまう等の問題があった。
【０００４】
そこで本考案は、上記事情に基づいてなされたものであり、使用感と外観に優れることに加えて、長期間に亘って滑り止め効果を発揮することができる手袋を提供することを目的とする。
【課題を解決するための手段】
【０００５】
上記目的を達成するために、本考案のうち請求項１記載の考案は、手袋本体の少なくとも手の平側の片面の全面又は一部に、滑り止め機能を保有する素材をコーティングしてあることを特徴とする。
【０００６】
ここで、コーティングする箇所については、手の甲側の面及び手の平側の面の両面であってもよいし、手の平側の面の指の部分だけ等といった一部であってもよいが、外観を良くするためにも手の平全面であることが望ましい。
【０００７】
手袋本体に関しては、繊維を編織りして製作してもよいし、生地を縫い合わせて製作してもよく、その素材に関しても、特に限定するものではないが、請求項２記載の考案のように、手袋本体をナイロン繊維により編成することが望ましい。ここで、ナイロン繊維の素材としては、従来よりナイロン製の手袋に用いられているナイロンダブルトリコットにすることが望ましい。また、編成方法としては、平編みや天竺編み等を挙げることができ、手袋本体を手にフィットさせて作業をし易くするためにも、手の平側の面は天竺編みにすることが望ましい。
【０００８】
コーティングする素材に関しては、滑り止め機能を保有し且つ手袋本体の生地にコーティングすることができる素材であれば、例えば塩化ビニール樹脂、シリコン樹脂、ＥＶＡ（エチレン一酢酸ビニル共重合樹脂）等、特に限定するものではないが、請求項３記載の考案のように、ポリウレタン樹脂にすることが望ましい。
【考案の効果】
【０００９】
本考案のうち請求項１記載の考案によれば、手袋本体の少なくとも手の平側の片面の全面又は一部に、滑り止め機能を保有する素材をコーティングしてあるので、従来のような突起部がなくなり手袋本体の生地と一体化するため、使用感及び外観が良好になると共に、滑り止め効果を長期間に亘って維持することができる。
【００１０】
本考案のうち請求項２記載の考案によれば、例えば警察官の鑑識業務や駅員、車掌、さらには式典等の礼装等といった様々な分野や業種において使用されるナイロン繊維から編成される手袋の滑りやすいとう欠点を解消して、作業性の向上を図ることが可能であると共に、清楚感を醸し出すナイロン繊維から編成される手袋に滑り止め機能を違和感なく且つ容易に備えることが可能となり、使用感及び外観の良好な優れた手袋を提供することができる。
【００１１】
本考案のうち請求項３記載の考案によれば、コーティングした箇所に伸縮性を保有させることができるため、手袋を使用する際にコーティングした箇所を手にフィットさせることが可能となり、作業性の向上を図ることができる。
【考案を実施するための最良の形態】
【００１２】
以下、本考案の実施形態の一例を図面に基づいて説明する。
【００１３】
本考案の手袋は、図１及び図２に示すように、手袋本体１の手の平側の片面（手の平側の面）３の全面に滑り止め機能を保有する素材（以下、滑り止め素材と記す。）をコーティングしてあることを特徴とする。
【００１４】
手袋本体１は、手の甲側の面２と、手の平側の面３とを別体に形成するものであり、さらに各面２，３は、親指部２ａ，３ａと親指部を除いた部分（以下、手の甲側を甲部２ｂ、手の平側を平部３ｂと記す。）とに別れており、各部２ａ，２ｂ，３ａ，３ｂをそれぞれ縫製して袋状にしたものである。
【００１５】
図１は、手の甲側の面２を示すものであり、各部２ａ，２ｂは、従来からよく使用されているナイロンダブルトリコット繊維を平編みして製作したものである。甲部２ｂの中心部分には、生地を外側に向かって抓んで山状になるように縫製した飾り部４を複数形成してある。
【００１６】
図２は、手の平側の面３を示すものであり、各部３ａ，３ｂは、ポリエステル繊維を天竺編みして伸縮性を保有するように製作したものであり、さらに、その外側の全表面には、滑り止め素材がコーティングしてある。滑り止め素材は、伸縮性を保有するポリウレタンフィルムである。また、平部３ｂの手首に相当する箇所の中央には、端部からスリット部５が形成してあり、スリット部５の下端部分にはプラスチック製のホック６を取り付け、開閉可能としてある。
【００１７】
このように手袋を構成することにより、手の平側の面３の全面に滑り止め素材をコーティングすることで、手の平側の面３に従来のような突起部がなくなり、生地と滑り止め素材とが一体化するため、使用感及び外観が良好になると共に、物に触れても、その摩擦によって滑り止めが剥がれたりすることがないため、長期間に亘って滑り止め効果を発揮することができる。また、滑り止め素材をコーティングした生地を縫い合わせて手袋本体１を製作することにより、手袋本体１に滑り止め機能を違和感無く確実に備えることができ、外観が非常に良好になると共に、滑り止め素材の端部が外側に露出しないため、滑り止め素材が剥がれてしまったりすることを防ぐことができる。さらに、滑り止め素材にポリウレタン樹脂を用いることにより、手の平側の面３がより一層伸縮性に優れることから、手にフィットして、使用感が良好になると共に、作業性の向上を図ることができる。
【００１８】
尚、本考案は、本実施形態に限定されるものではなく、例えば滑り止め素材には、塩化ビニール樹脂や、シリコン樹脂、ＥＶＡ等を用いてもよいし、滑り止め素材のコーティング箇所は、手の平側の面の一部、例えば指の部分等のみであってもよいし、また、手の甲側の面及び手の平側の面の両面、即ち手袋全体にコーティングしてもよい。手袋本体は、手の甲側と手の平側の二枚の生地を縫い合わせて製作しても良いし、繊維を編んで両面を一体的に製作してもよい。また、滑り止め素材をコーティングした生地を手の平側になるように縫い合わせるのではなく、手袋本体を製作した後、手の平側の面の全面又は一部の外側に上から滑り止め素材をコーティングしてもよい。
【図面の簡単な説明】
【００１９】
【図１】手袋本体の手の甲側を示す平面図である。
【図２】手袋本体の手の平側を示す平面図である。
【符号の説明】
【００２０】
１  手袋本体
３  手の平側の面（手の平側の片面）
【図１】
0003107556.tif 000003
【図２】
0003107556.tif 000004